【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
外科用のステープラであって、
アンビルを含む第１のジョーを有し、
複数のステープルを収容したカートリッジを含む第２のジョーを有し、前記第１のジョーは、前記第２のジョーに近づいたり該第２のジョーから遠ざかったりすることができ、  前記第２のジョーと前記カートリッジとの間に設けられたカートリッジリフトを有し、前記リフトは、前記リフトが長手方向に動いている間、前記カートリッジを前記第１のジョーに向かって動かすよう配置されている、ステープラ。
【請求項２】
前記リフトは、近位側の方向にのみ動く、請求項１記載のステープラ。
【請求項３】
前記カートリッジは、前記第１のジョーに向かう方向にのみ動く、請求項１又は２記載のステープラ。
【請求項４】
前記カートリッジは、前記ステープルの発射に先立って動く、請求項１乃至３の何れか１項に記載のステープラ。
【請求項５】
前記カートリッジリフトに連結されたばねを更に有する、請求項１乃至４の何れか１項に記載のステープラ。
【請求項６】
前記ばねは、拘束されている、請求項１乃至５の何れか１項に記載のステープラ。
【請求項７】
前記第１および前記第２のジョーに連結された細長いシャフトを更に有し、前記第１のジョーと前記第２のジョーは、互いに回動可能に連結され、アクチュエータが前記細長いシャフトに取り外し可能に連結され、前記アクチュエータは、前記ジョーを開閉し、前記ステープルを発射し、ブレードを並進させるとともに前記ばねを解除するよう構成されている、請求項１乃至６の何れか１項に記載のステープラ。
【請求項８】
前記カートリッジリフトは、リテーナに向いている下面を備えた傾斜突起を有し、前記リテーナは、前記カートリッジリフトに向いている上面を備えた傾斜突起を有し、前記リテーナの前記傾斜突起の前記上面は、前記カートリッジリフトの前記傾斜突起の前記下面と相補するよう形作られるとともに位置決めされている、請求項１乃至７の何れか１項に記載のステープラ。
【請求項９】
前記カートリッジリフトの運動を制止するリフトロックを更に有する、請求項１乃至８の何れか１項に記載のステープラ。
【請求項１０】
前記リテーナおよび前記アンビルは、前記カートリッジが垂直に動いているとき、静止状態のままである、請求項１乃至９の何れか１項に記載のステープラ。
【請求項１１】
前記カートリッジリフトは、前記カートリッジリフトばねが前記カートリッジリフトを近位側の方向に引くことによって付勢される、請求項１乃至１０の何れか１項に記載のステープラ。
【請求項１２】
前記ばねは、当初ロックされ、前記カートリッジリフトは、最も下の垂直位置に位置したままである、請求項１乃至１１の何れか１項に記載のステープラ。
【請求項１３】
前記ばねは、発射操作がいったん始まると、ロック解除される、請求項１乃至１２の何れか１項に記載のステープラ。
【請求項１４】
前記ばねをロックし直すことができない、請求項１乃至１３の何れか１項に記載のステープラ。
【請求項１５】
前記カートリッジリフトは、積極的な垂直力を前記カートリッジに及ぼす、請求項１乃至１４の何れか１項に記載のステープラ。
【手続補正２】
【補正対象書類名】明細書
【補正対象項目名】０１０８
【補正方法】変更
【補正の内容】
【０１０８】
加うるに、本願は、ある特定の実施形態及び実施例を開示しているが、当業者には理解されるように、本発明は、具体的に開示した実施形態を超えて他の変形実施形態および／または本発明の使用、明白な改造およびその均等例に及ぶ。さらに、これらの発明の種々の特徴を単独でまたは明示的に上述した特徴以外の本発明の他の特徴と組み合わせて利用できる。したがって、理解されるべきこととして、実施形態および特徴または種々の実施形態の観点の特定の組み合わせを明示的に説明していない場合があるが、かかる組み合わせは、本発明の範囲内で想定される。かくして、本明細書において開示された本発明の範囲は、上述の具体的に開示した実施形態によって制限されることはないことが意図されている。
１．外科用のステープラであって、
アンビルを含む第１のジョーを有し、
複数のステープルを収容したカートリッジを含む第２のジョーを有し、前記第１のジョーは、前記第２のジョーに近づいたり該第２のジョーから遠ざかったりすることができ、  前記第２のジョーと前記カートリッジとの間に設けられたカートリッジリフトを有し、前記リフトは、前記リフトが長手方向に動いている間、前記カートリッジを前記第１のジョーに向かって動かすよう配置されている、ステープラ。
２．前記リフトは、近位側の方向にのみ動く、第１項に記載のステープラ。
３．前記カートリッジは、前記第１のジョーに向かう方向にのみ動く、第１項又は第２項に記載のステープラ。
４．前記カートリッジは、前記ステープルの発射に先立って動く、第１項乃至第３項の何れかに記載のステープラ。
５．前記カートリッジリフトに連結されたばねを更に有する、第１項乃至第４項の何れかに記載のステープラ。
６．前記ばねは、拘束されている、第１項乃至第５項の何れかに記載のステープラ。
７．前記第１および前記第２のジョーに連結された細長いシャフトを更に有し、前記第１のジョーと前記第２のジョーは、互いに回動可能に連結され、アクチュエータが前記細長いシャフトに取り外し可能に連結され、前記アクチュエータは、前記ジョーを開閉し、前記ステープルを発射し、ブレードを並進させるとともに前記ばねを解除するよう構成されている、第１項乃至第６項の何れかに記載のステープラ。
８．前記カートリッジリフトは、リテーナに向いている下面を備えた傾斜突起を有し、前記リテーナは、前記カートリッジリフトに向いている上面を備えた傾斜突起を有し、前記リテーナの前記傾斜突起の前記上面は、前記カートリッジリフトの前記傾斜突起の前記下面と相補するよう形作られるとともに位置決めされている、第１項乃至第７項の何れかに記載のステープラ。
９．前記カートリッジリフトの運動を制止するリフトロックを更に有する、第１項乃至第８項の何れかに記載のステープラ。
１０．前記リテーナおよび前記アンビルは、前記カートリッジが垂直に動いているとき、静止状態のままである、第１項乃至第９項の何れかに記載のステープラ。
１１．前記カートリッジリフトは、前記カートリッジリフトばねが前記カートリッジリフトを近位側の方向に引くことによって付勢される、第１項乃至第１０項の何れかに記載のステープラ。
１２．前記ばねは、当初ロックされ、前記カートリッジリフトは、最も下の垂直位置に位置したままである、第１項乃至第１１項の何れかに記載のステープラ。
１３．前記ばねは、発射操作がいったん始まると、ロック解除される、第１項乃至第１２項の何れかに記載のステープラ。
１４．前記ばねをロックし直すことができない、第１項乃至第１３項の何れかに記載のステープラ。
１５．前記カートリッジリフトは、積極的な垂直力を前記カートリッジに及ぼす、第１項乃至第１４項の何れかに記載のステープラ。
１６．外科用のステープラであって、
アンビルを含む第１のジョーを有し、
複数のステープルを備えたカートリッジを含むとともに近位端から遠位端まで延びる第２のジョーを有し、前記第１のジョーは、前記第２のジョーに近づいたり該第２のジョーから遠ざかったりすることができ、
前記第２のジョーと前記カートリッジとの間に設けられた状態で前記第２のジョーの前記遠位端から遠ざかる近位側への長手方向に付勢されるカートリッジリフトを有する、ステープラ。
１７．前記カートリッジは、前記カートリッジリフトが動く単一の方向に対して横の単一の方向にしか動くことができない、第１６項に記載のステープラ。
１８．前記アンビルは、動くことができない、請求項１６又は１７記載のステープラ。
１９．前記アンビルは、静止している、第１６項乃至第１８項の何れかに記載のステープラ。
２０．前記可動リフトは、リフトばねによって付勢される、第１６項乃至第１９項の何れかに記載のステープラ。
２１．前記リフトばねが動くのを阻止するリフトロックを更に有し、前記リフトロックは、発射操作がいったん始まると、ロック解除されて前記リフトばねを解除する、第１６項乃至第２０項の何れかに記載のステープラ。
２２．前記リフトロックをロックし直すことができない、第１６項乃至第２１項の何れかに記載のステープラ。
２３．前記リフトロックは、ユーザから接近可能ではない、第１６項乃至第２２項の何れかに記載のステープラ。
２４．外科用のステープラであって、
アンビルを含む第１のジョーを有し、
カートリッジを含む第２のジョーを有し、前記第１のジョーは、前記第２のジョーに向かって動くことができ、
上側アームおよび下側アームを有するとともに前記上側アームと前記下側アームとの間に距離を定める作動ビームを有し、前記距離は、調節可能である、ステープラ。
２５．前記作動ビームの前記上側アームと前記下側アームとの間に設けられていて、前記上側アームと前記下側アームとの間の前記調節可能な距離を制限するウェブを更に有する、第２４項に記載のステープラ。
２６．前記作動ビームの前記上側アームから延びるとともに複数の突出部を含む垂直延長タブおよび、前記作動ビームの前記下側アームから延びる垂直延長タブとを更に有し、該垂直延長タブは、前記作動ビームを前記上側アームの前記垂直延長タブの前記複数の突出部と相互作用するよう配置された複数の突出部を有する、第２４項又は第２５項に記載のステープラ。
２７．前記作動ビームの前記上側アームから横方向に延びる上側タブおよび、前記作動ビームの前記下側アームから横方向に延びる下側タブを更に有し、前記上側タブは、前記作動ビームの前記上側アームと前記下側アームとの間の前記調節可能な距離を制限するために前記下側タブと相互作用するよう位置決めされている、第２４項乃至第２６項の何れかに記載のステープラ。
２８．外科用のステープラであって、
アンビルを含む上側ジョーを有し、
カートリッジを含む下側ジョーを有し、前記下側ジョーは、前記上側ジョーに向かって動くことができ、前記上側ジョーと前記下側ジョーとの間の距離は、調節可能であり、前記ジョーの最も近位側の部分は、前記上側ジョーと前記下側ジョーとの間にほぼゼロの隙間を有する、ステープラ。
２９．前記第１のジョーは、該ジョーの近位部分と該ジョーの遠位部分との間にトグルジョーリンクを有する、第２８項に記載のステープラ。
３０．前記下側ジョーは、前記上側ジョーに向かって傾けられており、前記下側ジョーは、前記下側ジョーの近位端から遠位端まで漸増する勾配を備えた傾斜面を有する、第２８項又は第２９項に記載のステープラ。
３１．前記カートリッジは、前記下側ジョーに対して長手方向運動が拘束されるとともに前記下側ジョーに対して垂直運動が拘束されない状態で浮動状態にある、請求項２８乃至３０の何れか１項に記載のステープラ。
３２．前記上側ジョーは、摺動ピボットに連結されている、第２８項乃至第３１項の何れかに記載のステープラ。